(57)【特許請求の範囲】
【請求項１】
光照射面及び背面を有する液晶パネルと、
前記液晶パネルの背面側に配置され、ＬＥＤが実装されたＬＥＤ基板を含むバックライトユニットと、
前記ＬＥＤ基板が実装されるボトムカバーと、
前記ボトムカバーの背面周縁部に結合され、前記液晶パネルの背面周縁部を支持する４つのガイドパネルと、
前記ガイドパネルの外側面を囲み、前記液晶パネルの光照射面の周縁部を覆うトップケースとを含み、
前記ガイドパネルが、
前記液晶パネルが載置された内側段差面と、前記ボトムカバーに対して垂直に配置されて、前記液晶パネルの各周縁部を支持する側面とを有する第１ブレード部と、
前記第１ブレード部から延びて前記液晶表示装置モジュールの内側方向に折り曲げられ、前記ボトムカバーの背面に結合される第２ブレード部とを含むことを特徴とする
液晶表示装置モジュール。
【請求項２】
前記トップケースの上面内縁部が前記第１ブレード部の内側面よりも外側に位置する、請求項１に記載の液晶表示装置モジュール。
【請求項３】
前記第１ブレード部の上側部分の内側面が該第１ブレードの下側部分の内側面よりも外側に位置する、請求項１又は２に記載の液晶表示モジュール。
【請求項４】
前記第１ブレード部の上部内側面に段差が設けられ、前記液晶パネルの周縁部が該段差上に配置された請求項３に記載の液晶表示モジュール。
【請求項５】
前記第１ブレード部は、側面に前記トップケースとの挿通による結合のための少なくとも１つの孔が形成されている、請求項１から４のいずれか一項に記載の液晶表示装置モジュール。
【請求項６】
前記複数のガイドパネルの各端部が対向する離隔空間に挿入され、隣接するガイドパネルを固定する複数のガイド締結部材をさらに含む、請求項１から５のいずれか一項に記載の液晶表示装置モジュール。
【請求項７】
前記第１ブレード部の両端部の上面が凹凸溝を有し、
前記複数のガイド締結部材は、
直線状の胴部と、
前記胴部の一端から前記胴部に対して垂直方向に延び、前記第１ブレード部の凹凸溝に嵌合される複数の第１ブランチ部と、
前記胴部の他端から前記胴部に対して垂直方向に延び、下部で前記ボトムカバーに結合するように形成された複数の第２ブランチ部と
を含む、請求項６に記載の液晶表示装置モジュール。
【請求項８】
前記ボトムカバーは、各角部から外側方向に突出する突起部を有し、各突起部に前記第２ブランチ部を挿入するための溝が形成された請求項７に記載の液晶表示装置モジュール。
【請求項９】
前記トップケースは、上部面の幅が１．５ｍｍ〜２．５ｍｍである、請求項１から８のいずれか一項に記載の液晶表示装置モジュール。
【請求項１０】
前記液晶パネルと前記トップケースが重なる部分の面積が前記トップケースの上部面の面積の４０％〜５０％である、請求項１〜９のいずれか１項に記載の液晶表示装置モジュール。
【請求項１１】
前記バックライトユニットは、
複数のＬＥＤパッケージと、
前記複数のＬＥＤパッケージが面単位で配置されるＬＥＤ基板と、
前記ＬＥＤ基板の上部に配置され、前記複数のＬＥＤパッケージを露出させる複数の孔が形成される反射板と、
前記複数のＬＥＤ ＰＫＧから出射した光を拡散及び集光する光学シートとを含み、
前記光学シートは、前記液晶パネルの背面に配置され、前記ガイドパネルの上部内面に設けられた段差により支持される、請求項１から１０のいずれか一項に記載の液晶表示装置モジュール。
【発明の詳細な説明】
【技術分野】
【０００１】
本発明は、液晶表示装置モジュールに関し、特に、液晶パネルとバックライトユニットを実装する機構構造物を単純化しながらも剛性を維持し、狭額縁（狭額ベゼル）を実現した液晶表示装置モジュールに関する。
【背景技術】
【０００２】
近年、携帯電話、ノートブックコンピュータなどの各種携帯機器や、ＨＤテレビなどの高解像度・高品質の画像を実現する情報電子機器が発展するにつれて、これに適用できるフラットパネルディスプレイ装置に対する需要が次第に高まっている。このようなフラットパネルディスプレイ装置としては、ＬＣＤ（Liquid Crystal Display）、ＰＤＰ（Plasma Display Panel）、ＦＥＤ（Field Emission Display）、ＯＬＥＤ（Organic Light Emitting Diode）などが盛んに研究されているが、量産化技術、駆動手段の容易性、高画質の実現、大画面の実現という理由により、現在はＬＣＤ（液晶表示装置）が特に脚光を浴びている。
【０００３】
液晶表示装置は、受動型透過表示素子を用いたものであって、液晶分子の屈折率異方性により液晶層を透過する光の量を調節して所望の画像の階調を画面上に表示する。よって、液晶表示装置においては、画像の表示のために液晶層に光を提供するバックライトユニットが備えられ、通常、バックライトユニットは、光源の構造によって大きく２つに区分される。
【０００４】
一方は、直下型バックライトユニットであって、光源のランプが液晶パネルの背面に位置し、下部からパネル方向に直接光を照射する方式であり、他方は、エッジライト型バックライトユニットであって、光源のランプが液晶パネルの側面に位置し、光学シートなどを介して光の方向をパネル方向に転換して提供する方式である。
【０００５】
直下型バックライトユニットは、ランプから出射した光が直接液晶パネルに供給されるので大面積の液晶パネルに適用できるだけでなく、高輝度の利点があるため、大画面テレビ用液晶パネルの製作に主に適用されている。
【０００６】
それに対して、エッジライト型バックライトユニットは、液晶パネルの側面に設けられ、ランプから出射した光が光学シートである反射板と導光板を介して液晶パネルに供給される。従って、エッジライト型方式は、直下型方式に比べて大面積の液晶パネルに適用することが難しいだけでなく、導光板を介して光が供給されるので高輝度を得ることが難しい。しかしながら、エッジライト型方式は、バックライトユニットが液晶パネルの側面に位置するため、液晶表示装置モジュールの薄厚化を実現できるという利点がある。よって、このようなエッジライト型方式は、薄厚の表示装置が要求される携帯機器などに備えられる液晶表示装置のバックライトユニットに主に適用される。
【０００７】
図４は、従来のＬＥＤを備えた直下型バックライトユニットを備える液晶表示装置モジュールの一例を示す断面図である。
【０００８】
同図に示すように、従来の液晶表示装置モジュールは、画像を表示する液晶パネル１０と、液晶パネル１０に光を提供するバックライトユニット２０と、液晶パネル１０及びバックライトユニット２０をモジュール化する機構構造物３０とを含む。
【０００９】
液晶パネル１０は、所定の間隔をおいて対向して貼り合わせられた２つの基板間に液晶層が介在する構造であって、ドライバから供給される信号により液晶層の光透過率が制御されることにより画像を実現する。
【００１０】
バックライトユニット２０は、液晶パネル１０の背面に位置し、複数のＬＥＤ ＰＫＧ（ＬＥＤパッケージ）２１と、ＬＥＤ ＰＫＧ２１がボンディングされるＬＥＤ基板２２と、ＬＥＤ基板２２を固定し、ＬＥＤ基板２２の背面とその下部の機構構造物３０間を絶縁する機能を果たす両面テープ部材２３と、ＬＥＤ基板２２の上部に配置され、表面をＬＥＤ ＰＫＧ２１が貫通して露出する反射板２６とを含む。さらに、バックライトユニット２０は、反射板２６の上部に所定距離離隔して配置され、ＬＥＤ ＰＫＧ２１から出射した光を液晶パネル１０の全領域に拡散させる拡散シート２７と、拡散シート２７の上部に配置されるプリズムシート２８とを含む。
【００１１】
機構構造物３０は、ガイドパネル３１、トップケース３３、サイドサポータ３５、及びボトムカバー３７からなる。
【００１２】
ガイドパネル３１は、内側段差部に液晶パネル１０が載置され、液晶パネル１０の各側面を囲む。また、ガイドパネル３１は、ＬＥＤ ＰＫＧ２１から出射した光を内側に反射させるために、反射率の高い白色合成樹脂物で製造してもよい。
【００１３】
トップケース３３は、液晶パネル１０の上部に結合され、ガイドパネル３１と共に液晶パネル１０を固定し、ガイドパネル３１の正面及び側面を囲む。
【００１４】
サイドサポータ３５は、ガイドパネル３１の内側下部に配置されて後述するボトムカバー３７と結合され、バックライトユニット２０の光学シート（拡散シート２７及びプリズムシート２８）を支持し、当該光学シートとＬＥＤ ＰＫＧ２１間の隔離距離を維持する。
【００１５】
ボトムカバー３７は、内側底面にバックライトユニット２０のＬＥＤ基板２２が実装され、外側にガイドパネル３１及びトップケース３３が締結される。
【００１６】
このような構造を有する従来の液晶表示装置モジュールにおいて、画像が表示されない外郭部分、すなわち非表示領域は、ガイドパネル３１とトップケース３３が液晶パネル１０を安定して固定し、サイドサポータ３５が拡散シート２７の背面部分でこれを支持できるようにする最小マージンであって、約２８．３ｍｍ〜３４．２ｍｍの幅（ａ）を有するように設計される。
【発明の概要】
【発明が解決しようとする課題】
【００１７】
ところが、近年、液晶表示装置モジュールは非表示領域であるベゼル部分の幅（ａ）を最小限に抑えて狭額縁を実現する傾向にあり、従来の液晶表示装置モジュールにおいては、非表示領域の最小マージンによりその幅を減らすのに限界があった。
【００１８】
特に、従来のＬＣＤモジュールでは、ボトムカバー３１を、単一の金属プレートの４つの側面各々を上方に折り曲げてガイドパネル３１に結合させて形成される。これはボトムカバー３１の変形又は変質の原因となる。
【００１９】
本発明は、このような限界を克服するためになされたもので、直下型液晶表示装置モジュールにおいて機構構造物の形状及び結合方式を変更して、従来と同じ剛性を維持しながらも狭額縁を実現した液晶表示装置モジュールを提供することを目的とする。
【００２０】
詳細な説明の他の側面は、折り曲げられた側面を有するように変形されたボトムカバーの変形又は変質を最小化することができる液晶表示（ＬＣＤ）装置モジュールを提供することである。
【課題を解決するための手段】
【００２１】
上記目的を達成するために、本発明の好ましい実施の形態による液晶表示装置モジュールは、液晶パネルと、前記液晶パネルの背面に備えられるバックライトユニットと、前記液晶パネル及び前記バックライトユニットが実装されるボトムカバーと、前記ボトムカバーの側面に結合され、前記液晶パネルの４側端を下部でそれぞれ支持する複数のガイドパネルと、前記ガイドパネルの外側面を囲むトップケースとを含む。
【００２２】
前記複数のガイドパネルは、上部に前記液晶パネルが載置され、側面が前記ボトムカバーに対して垂直方向に配置されて、前記液晶表示装置モジュールの各側面をガイドする第１ブレード部と、前記第１ブレード部から延びて垂直に折り曲げられ、前記ボトムカバーの背面に結合される第２ブレード部とを含むことを特徴とする。
【００２３】
前記第１ブレード部は、両端上部に凹凸溝が形成されていることを特徴とする。
【００２４】
前記第１ブレード部は、側面に前記トップケースとの螺合のための少なくとも１つの孔が形成されていることを特徴とする。
【００２５】
前記液晶表示装置モジュールは、前記複数のガイドパネルの各端部が対向する離隔空間に挿入され、隣接するガイドパネルを固定する複数のガイド締結部材をさらに含むことを特徴とする。
【００２６】
前記複数のガイド締結部材は、一字状の胴部と、前記胴部の一端から前記胴部に対して垂直方向に延び、前記凹凸溝に挿入される第１ブランチ部と、前記胴部の他端から前記胴部に対して垂直方向に延び、下部に前記ボトムカバーに結合される突起が形成される第２ブランチ部とを含むことを特徴とする。
【００２７】
前記ボトムカバーは、各角部から外側方向に突出し、前記突起が嵌められる凹部が形成された突出部が形成されていることを特徴とする。
【００２８】
前記トップケースは、上部面の幅が１．５ｍｍ〜２．５ｍｍであることを特徴とする。
【００２９】
前記液晶パネル及び前記トップケースは、重なる面積が前記トップケースの上部面の４０％〜５０％であることを特徴とする。
【００３０】
前記バックライトユニットは、複数のＬＥＤ ＰＫＧと、前記複数のＬＥＤ ＰＫＧが面単位で配置されるＬＥＤ基板と、前記ＬＥＤ基板の上部に配置され、前記複数のＬＥＤ ＰＫＧを露出させる複数の孔が形成される反射板と、前記複数のＬＥＤ ＰＫＧから出射した光を拡散及び集光する光学シートとを含み、前記光学シートは、前記液晶パネルの背面に配置され、前記ガイドパネルにより支持されることを特徴とする。
【発明の効果】
【００３１】
本発明の好ましい実施の形態によれば、液晶表示装置モジュールの機構構造物のうち、液晶パネルが載置されるガイドパネルの形状を一字状に変更し、ボトムカバーに締結されるように形成する。これにより、ガイドパネルを支持するサイドサポータを省略しても、液晶表示装置モジュールの剛性を維持することができる。従って、液晶表示装置モジュールの剛性を従来と同様に維持しながらも、狭額縁を実現することができるという効果がある。
【図面の簡単な説明】
【００３２】
【図１】本発明の実施の形態による液晶表示装置モジュールの分解斜視図である。
【図２】本発明の実施の形態による液晶表示装置モジュールの１つのガイドパネルを示す図である。
【図３】本発明の実施の形態による液晶表示装置モジュールの部分断面図である。
【図４】従来のＬＥＤを備えた直下型バックライトユニットを備える液晶表示装置モジュールの一例を示す断面図である。
【発明を実施するための形態】
【００３３】
以下、本発明の好ましい実施の形態による液晶表示装置モジュールについて添付図面を参照して詳細に説明する。
【００３４】
図１は、本発明の実施の形態による液晶表示装置モジュールの分解斜視図である。
【００３５】
同図に示すように、本発明の実施の形態による液晶表示装置モジュールは、画像を表示する液晶パネル（以下、「液晶表示パネル」、「ＬＣＤパネル」ともいう）１００と、液晶パネル１００に光を提供するバックライトユニット１２０と、液晶パネル１００及びバックライトユニット１２０をモジュール化する機構構造物１３０とを含む。以降の説明において、「上部／上面」等とは、光照射方向に沿って上方向をいい、「下部／下面」等とは、その逆をいうものとする。また、各部材の「背面」とは、光照射面と反対の面をいうものとする。さらに、「内部／内側」及び「外部／外側」とは液晶パネル１００の中心に対する位置関係をいうものとする。
【００３６】
液晶パネル１００は、所定の間隔をおいて対向して貼り合わせられる２つの基板（上部基板及び下部基板）と、その間に介在する液晶層とからなり、別途備えられるドライバ部１０５の制御により画像を表示する。下部基板には、スイッチング素子に加えて、信号を供給するための各種配線と電極が形成される。また、下部基板に対向する上部基板は、赤（Ｒ）、緑（Ｇ）、青（Ｂ）の色を表示するためのカラーフィルタ基板であって、カラーフィルタ層とブラックマトリクス（ＢＭ）が形成される。ドライバ部１０５は、前記スイッチング素子を制御するためのゲート信号を供給するゲートドライバＩＣ、及び画素電極にデータ信号を供給するデータドライバＩＣが、ＰＣＢにボンディングされた状態で液晶パネル１００の少なくとも１つの側面に取り付けられて電気的に接続される。
【００３７】
液晶パネル１００についてより詳細に説明すると次の通りである。
【００３８】
下部基板には、縦横に配列されて複数の画素領域を定義する複数のゲートライン及びデータラインが形成されている。各画素領域には、スイッチング素子である薄膜トランジスタが形成されている。また、薄膜トランジスタは、ゲートラインに接続されるゲート電極と、ゲート電極の上部に非晶質シリコンなどが積層されて形成されるアクティブ層と、アクティブ層上に形成されてデータライン及び画素電極に電気的に接続されるソース電極及びドレイン電極とからなる。ここで、画素電極は、共通電極と交互に配置されている。
【００３９】
そして、上部基板は、赤（Ｒ）、緑（Ｇ）、青（Ｂ）の色を実現する複数のサブカラーフィルタで構成されたカラーフィルタと、各サブカラーフィルタを区分して液晶層を透過する光を遮断するブラックマトリクス（ＢＭ）とからなる。
【００４０】
このように構成された２つの基板は、表示領域の外郭に形成されたシーラントにより対向して貼り合わせられて液晶パネル１００を構成し、また、液晶パネル１００の前面及び背面には、それぞれ偏光板が取り付けられることにより、液晶パネル１００に入射して液晶層を透過して階調が反映された光を偏光させて画像を実現する。
【００４１】
さらに、液晶パネル１００の少なくとも１つの側面には、制御のためのドライバ部１０５が備えられる。ドライバ部１０５は、液晶パネル１００を駆動するためのゲートドライバＩＣ及びデータドライバＩＣを含む。ドライバＩＣは、ＴＡＢフィルムなどにより液晶パネル１００に電気的に接続され、液晶パネル１００が後述するガイドパネル１３１ａ〜１３１ｄ上に載置されると、ＴＡＢ（Tape Automated Bonding）フィルムがガイドパネル１３１ａ〜１３１ｄの外側に曲がって液晶パネル１００の側面方向に位置する。
【００４２】
バックライトユニット１２０は、液晶パネル１００の背面に配置されて液晶パネル１００に光を提供するものであって、点光源と、当該点光源が放出する光を光学的補償により液晶パネル１００に効率的に提供する複数の光学シートとから構成される。
【００４３】
前記点光源は、ＬＥＤ ＰＫＧ１２１が複数備えられる形態である。ＬＥＤ ＰＫＧ１２１は、少なくとも１つのＬＥＤ半導体素子が実装され、ＬＥＤ基板１２２上にボンディングされる。
【００４４】
前記光学シートは、ＬＥＤ ＰＫＧ１２１から所定距離離隔して発光面に対向するように配置され、光を液晶パネル１００に効率的に提供する役割を果たすものであって、少なくとも１つの拡散シート１２７及びプリズムシート１２８からなるようにしてもよい。拡散シート１２７は、ＬＥＤ ＰＫＧ１２１から出射した光が一領域に集中しないように、液晶パネル１００の全領域に拡散させる役割を果たす。また、プリズムシート１２８は、拡散シート１２７により拡散した光を、上方に集光して液晶パネル１００の各領域に均一に供給されるようにする役割を果たす。通常、拡散シート１２７は１枚備えられるが、プリズムシート１２８は、プリズムがｘ、ｙ軸方向に直交する第１プリズムシート及び第２プリズムシートを備えて、ｘ、ｙ軸方向から光を屈折させて光の上方への直進性を向上させるように構成してもよい。拡散シート１２７及びプリズムシート１２８の数及び配置は、設計者の意図に応じて変更可能である。
【００４５】
反射板１２６は、前記光学シートの下部及びＬＥＤ基板１２２の上部に備えられ、ボトムカバー（cover bottom）１３７方向、すなわち、液晶パネル１００と反対方向に出射する光を反射させて再び液晶パネル１００方向に進める役割を果たす。このために、反射板１２６にはＬＥＤ ＰＫＧ１２１に対応する位置に所定の孔が形成されており、当該孔からＬＥＤ ＰＫＧ１２１が反射板１２６の上部に露出する。
【００４６】
前述した構造の液晶パネル１００及びバックライトユニット１２０は、機構構造物１３０の結合により支持及び固定される。
【００４７】
ガイドパネル１３１ａ〜１３１ｄは、液晶パネル１００の背面を支持する役割を果たすものであり、液晶パネル１００の各側面に対応するように４つ備えられる。即ち、ガイドパネル１３１ａ〜１３１ｄは、それらの上面で、液晶パネル１００の周縁部を支持する。ガイドパネル１３１ａ〜１３１ｄの上部は、内側が段差になっており、その上に液晶パネル１００の背面周縁部が載置される。また、各ガイドパネル１３１ａ〜１３１ｄは、断面Ｌ字状に形成され、Ｌ字状部分の上面がボトムカバー１３７の背面に結合されて液晶表示装置モジュールの４側面を形成する。
【００４８】
このようなガイドパネル１３１ａ〜１３１ｄは、従来のように樹脂材で形成されるのではなく、金属材で形成される。従って、従来のガイドパネル（図４の符号３１）より内側段差面の幅が小さいにもかかわらず、その剛性を維持して液晶パネル１００の各側端を支持することができる。また、分割された４つのガイドパネル１３１ａ〜１３１ｄは、ボトムカバー１３７の側面にそれぞれ配置され、ボトムカバー１３７の各コーナーで対向する。このようなガイドパネル１３１ａ〜１３１ｄの詳細構造については後述する。
【００４９】
図示のように、ボトムカバー１３７の各コーナーで、第１ガイドパネル１３１ａの端部と第２ガイドパネル１３１ｂの端部とは対向しているが、当接していない。隣接するガイドパネル１３１ａ〜１３１ｄ間の離隔空間には、当該隣接するガイドパネル１３１ａ〜１３１ｄを固定するガイド締結部材１４０がそれぞれ挿入される。
【００５０】
締結部材１４０は、隣接するガイドパネル１３１ａ〜１３１ｄ間の離隔空間を埋める役割を果たす。締結部材１４０は、ボトムカバー１３７に垂直な一字状の胴部１４１を有し、胴部１４１の上部から胴部１４１に対して垂直方向に延び、第１及び第２ガイドパネル１３１ａ、１３１ｂの上面で凹凸溝１３１５ａ、１３１５ｂに嵌合される複数の第１ブランチ部１４５ａ、１４５ｂが形成されている。第１ブランチ部１４５ａ、１４５ｂ同士は９０゜をなす。
【００５１】
さらに、締結部材１４０は、胴部１４１の下部から胴部１４１に対して垂直方向に延び、その下部にボトムカバー１３７の凹部に結合される突起が形成される第２ブランチ部１４８ａ、１４８ｂが形成されている。
【００５２】
このような締結部材１４０は、分割された各ガイドパネル１３１ａ〜１３１ｄをガイドし、液晶表示装置モジュールの各角部を支持又は固定する役割を果たすものであり、樹脂材で形成してもよい。
【００５３】
トップケース１３３は、液晶パネル１００が載置されたガイドパネル１３１ａ〜１３１ｄの上部に結合され、液晶パネル１００が外部からの衝撃などにより離脱しないように保持する役割を果たす。トップケース１３３の側面は、複数の孔が形成され、ガイドパネル１３１ａ〜１３１ｄの側面に挿通部材により結合される（例えば、ネジどめされる）ようにしてもよい。
【００５４】
ボトムカバー１３７は、液晶表示装置モジュールの下部に該当する機構構造物であって、各周縁部にガイドパネル１３１ａ〜１３１ｄが締結され、底面にＬＥＤ ＰＫＧ１２１がボンディングされたＬＥＤ基板１２２が実装され、その上部に反射板１２６が配置される。ガイドパネル１３１ａ〜１３１ｄの上部内側段差部には、液晶パネル１００と光学シート（拡散シート１２７及びプリズムシート１２８）が積層及び載置され、その上部にトップケース１３３が締結される。これにより、１つの液晶表示装置モジュールが構成される。
【００５５】
また、ボトムカバー１３７のコーナー外側付近には、前述した締結部材１４０の第２ブランチ部１４８ａ、１４８ｂに対応する突出部１３７１が形成されている。突出部１３７１には凹部１３７８ａ、 ｂ が形成されており、第２ブランチ部１４８ａ、１４８ｂに形成された突起が挿入されて締結部材１４０と結合される。
【００５６】
前述した構造により、本発明の実施の形態による液晶表示装置モジュールにおいては、４つに分割されたガイドパネルがボトムカバーに締結され、ガイドパネルにの上部に形成された段差上に光学シート及び液晶パネルが載置される。これにより、液晶表示装置モジュールの光学シートを実装するサイドサポータを省略することができ、狭額縁を実現することができる。
【００５７】
以下、図２を参照して本発明の実施の形態によるガイドパネルの構造を詳細に説明する。
【００５８】
図２は、本発明の実施の形態による液晶表示装置モジュールの１つのガイドパネルを示す図である。
【００５９】
同図に示すように、本発明の実施の形態による液晶表示装置モジュールのガイドパネル１３１は、正面視において、直線状のブレード形状であり、長軸方向に各端部でその幅が狭くなる。側面視において、ガイドパネル１３１の上面には、図１の第１ブランチ部１４５ａ及び１４５ｂを嵌合するための溝１３１５が設けられる。ガイドパネル１３１は、ボトムカバー１３７に対して垂直な第１ブレード部１３１１と、第１ブレード部１３１１に対して垂直方向に折り曲げられて延びた第２ブレード部１３１２とからなる。
【００６０】
ここで、第１ブレード部１３１１の上面には、前述した溝１３１５が形成されており、正面及び背面には、トップケースとの挿通による結合（例えば、ネジどめ）のための少なくとも１つの孔１３６が形成されている。また、第１ブレード部１３１１の上部面の幅は、液晶パネル１００及び光学シート１２７及び１２８を支持できる幅に形成される。
【００６１】
前述した構造のガイドパネル１３１は、１つの液晶表示装置モジュールに計４つ備えられ、液晶表示装置モジュールの各側面を囲む。
【００６２】
すなわち、１つのガイドパネル１３１は、上部に液晶パネルが載置され、側面がボトムカバーに対して垂直方向に配置されて、液晶表示装置モジュールの各側面をガイドする第１ブレード部１３１１と、第１ブレード部１３１１から延びて垂直に折り曲げられ、前記ボトムカバーの背面に結合される第２ブレード部１３１２とからなり、４つが前記ボトムカバーに締結されて従来のガイドパネル（図４の符号３１）に代替する。
【００６３】
このような構造により、本発明の実施の形態による液晶表示装置モジュールは、従来の光学シートを支持するサイドサポータを省略することができ、ベゼル領域が占める部分を減少させることができる。
【００６４】
以下、図３の本発明の実施の形態による液晶表示装置モジュールの断面を参照して本発明の構造をより詳細に説明する。
【００６５】
図３は、本発明の実施の形態による液晶表示装置モジュールの部分断面図である。
【００６６】
同図に示すように、本発明の実施の形態による液晶表示装置モジュールは、画像を表示する液晶パネル１００と、液晶パネル１００の下部に配置されるバックライトユニット１２０と、液晶パネル１００及びバックライトユニット１２０に結合されて１つの液晶表示装置モジュールを構成する機構構造物１３０とを含む。
【００６７】
液晶パネル１００は、所定の間隔をおいて対向して貼り合わせられた２つの基板間に液晶層が介在する構造であって、少なくとも１つの側面に接続されるドライバ部１０５から供給される信号により液晶層の光透過率が制御されることにより画像を実現する。
【００６８】
液晶パネル１００の外側面とガイドパネル１３１の内側面とは、離隔空間が存在しないように結合される。これにより、ドライバ部１０５は、液晶パネル１００を支持するガイドパネル１３１の上部を覆い、ガイドパネル１３１の各側面に密着するように配置される。ここで、ドライバ部１０５に備えられた各種コネクタ１０７の高さはトップケース１３３より低く、従って、ガイドパネル１３１の側面はトップケース１３３と連結される部分が外側に突出していることが分かる。即ち、トップケース１３３の上面内縁部が、第１ブレード１３１１の内側面よりも表示領域に対して外側に位置する。また、第１ブレード１３１１は、断面図（図３参照）において、上部内側面が内側面よりも外側に位置するような形状を有している。
【００６９】
バックライトユニット１２０は、液晶パネル１００の背面に位置し、液晶パネル１００に隣接してプリズムシート１２８及び拡散シート１２７が順次配置される。ここで、拡散シート１２７及びプリズムシート１２８は、ガイドパネル１３１の上部の段差部に液晶パネル１００に重なるように配置される。ガイドパネル１３１の上記形状、配置及び構成は狭額ベゼル化に貢献する。
【００７０】
また、拡散シート１２７から所定距離離隔して、複数のＬＥＤ ＰＫＧ１２１と、ＬＥＤ ＰＫＧ１２１が面単位でボンディングされるＬＥＤ基板１２２と、ＬＥＤ基板１２２の上部に位置し、表面をＬＥＤ ＰＫＧ１２１が貫通して露出する反射板１２６が配置される。さらに、ＬＥＤ基板１２２の背面には、ＬＥＤ基板１２２を固定し、ＬＥＤ基板１２２の背面とその下部のボトムカバー１３７間を絶縁する機能を果たす両面テープ部材１２３が備えられてもよい。
【００７１】
機構構造物１３０は、ガイドパネル１３１、トップケース１３３、及びボトムカバー１３７からなる。
【００７２】
ガイドパネル１３１は、内側段差部に液晶パネル１００及び光学シート（拡散シート１２７及びプリズムシート１２８）が載置され、液晶パネル１００及び光学シートの各側面を囲む。また、ガイドパネル１３１は、従来より小さい幅で液晶パネル１００に重なっていても揺れや外力から液晶パネル１００を安定して支持できるように、金属材で形成してもよい。
【００７３】
このようなガイドパネル１３１は、液晶パネル１００に対して垂直方向に配置され、液晶パネル１００及び光学シート（拡散シート１２７及びプリズムシート１２８）を支持する第１ブレード部１３１１と、第１ブレード部１３１１から延び、第１ブレード部１３１１からに対して垂直方向、すなわち、ボトムカバー１３７の下部面と平行な方向に折り曲げられる第２ブレード部１３１２とからなる。
【００７４】
トップケース１３３は、液晶パネル１００の上部に結合され、ガイドパネル１３１と共に液晶パネル１００及び光学シート（拡散シート１２７及びプリズムシート１２８）を固定し、ガイドパネル１３１の側面を囲む。特に、トップケース１３３には側面の一部が内側に陥没してその部分に孔が形成されており、また、ガイドパネル１３１にはトップケース１３３の孔に対応する位置に孔が形成されているので、挿通による結合（例えば、ネジどめ）により２つの構造物が安定して固定される。
【００７５】
ボトムカバー１３７は、内側底面にバックライトユニット１２０のＬＥＤ基板１２２が実装され、外側背面にガイドパネル１３１の第２ブレード部１３１２が噛合される。
【００７６】
ボトムカバー１３７は単一の金属プレートとして実装される。図示していないが、ボトムカバー１３７は、接触部においてボルト及びナットを用いてガイドパネル１３１に固定されるようにしてもよいし、リベット締めで固定されるようにしてもよい。
【００７７】
このような構造を有する本発明の実施の形態による液晶表示装置モジュールにおいて、画像が表示されない外郭部分、すなわち非表示領域は、約１．５ｍｍ〜２．５ｍｍの幅（ｂ）を有し、ベゼル領域が従来の約５％〜７％で実現される。また、液晶パネル１００及びトップケース１３３が重なる領域の面積は、好ましくはトップケース１３３の上面の面積の４０％〜５０％である。これにより、液晶パネル１００がトップケース１３３に確実に保持又は固定される。
【００７８】
以上の説明には多くの事項が具体的に記載されているが、これは発明の範囲を限定するものではなく、好ましい実施の形態の例示として解釈されるべきである。よって、本発明の権利範囲は、前述した実施の形態により定められるものではなく、特許請求の範囲とその均等物により定められるべきである。例えば、上記実施例は４面のガイドパネルとして４枚の独立したガイドパネルを示したが、４面のうちのいずれか２面又は３面のガイドパネルが一体化される構成としてもよい。
【符号の説明】
【００７９】
１００  液晶パネル
１０５  ドライバ部
１２０  バックライトユニット
１２１  ＬＥＤ ＰＫＧ
１２２  ＬＥＤ基板
１２６  反射板
１２７  拡散シート
１２８  プリズムシート
１３０  機構構造物
１３１ａ〜１３１ｄ  ガイドパネル
１３３  トップケース
１３７  ボトムカバー
１４０  締結部材
１４１  胴部
１４５ａ、１４５ｂ  第１ブランチ部
１４８ａ、１４８ｂ  第２ブランチ部
１３１５ａ、１３１５ｂ  凹凸溝
１３７１  突出部
１３７３  凹部
【図１】
0005538495.tif 000002
【図２】
0005538495.tif 000003
【図３】
0005538495.tif 000004
【図４】
0005538495.tif 000005